(57)【要約】【課題】基板と基板を接続するためのコネクタ組立体において、低背であると共に強い保持力を実現しつつ、コネクタ嵌合前における取り扱いを容易とする技術を提供する。【解決手段】コネクタ組立体１は、第１コネクタ搭載面２ａを有する第１基板２と第２コネクタ搭載面３ａを有する第２基板３とを、第１コネクタ搭載面２ａと第２コネクタ搭載面３ａが実質的に平行となるように、接続するためのものである。コネクタ組立体１は、第１基板２の第１コネクタ搭載面２ａに搭載されるレセプタクル４と、第２基板３の第２コネクタ搭載面３ａに搭載されるレセプタクル５と、第１コネクタ搭載面２ａに対して平行な方向においてレセプタクル４と嵌合するプラグ７と、第２コネクタ搭載面３ａに対して平行な方向においてレセプタクル５と嵌合するプラグ８と、を有する中継コネクタ６と、を備える。【選択図】図１
2014149948.tif 000002
【特許請求の範囲】
【請求項１】
第１コネクタ搭載面を有する第１基板と第２コネクタ搭載面を有する第２基板とを、前記第１コネクタ搭載面と前記第２コネクタ搭載面が実質的に平行となるように、接続するためのコネクタ組立体であって、
前記第１基板の前記第１コネクタ搭載面に搭載される第１コネクタと、
前記第２基板の前記第２コネクタ搭載面に搭載される第２コネクタと、
前記第１コネクタ搭載面に対して平行な方向において前記第１コネクタと嵌合する第１コネクタ部分と、前記第２コネクタ搭載面に対して平行な方向において前記第２コネクタと嵌合する第２コネクタ部分と、を有する第３コネクタと、
を備えたコネクタ組立体。
【請求項２】
請求項１に記載のコネクタ組立体であって、
前記第１コネクタ部分は、前記第１コネクタ搭載面に対して平行な方向に移動することで前記第１コネクタと嵌合する、
コネクタ組立体。
【請求項３】
請求項２に記載のコネクタ組立体であって、
前記第１コネクタ部分は、前記第１コネクタ搭載面に対して平行な方向に移動して、前記第１コネクタに挿入することで、前記第１コネクタと嵌合する、
コネクタ組立体。
【請求項４】
請求項１〜３の何れかに記載のコネクタ組立体であって、
前記第３コネクタは、前記第１コネクタ部分と前記第２コネクタ部分の間に配置された操作部を更に有する、
コネクタ組立体。
【請求項５】
請求項４に記載のコネクタ組立体であって、
前記操作部は、前記第１コネクタ部分と前記第２コネクタ部分を連結する連結部と、前記連結部に対して距離を隔てて対向する対向部と、を含む、
コネクタ組立体。
【請求項６】
請求項５に記載のコネクタ組立体であって、
前記第１コネクタ部分及び前記第２コネクタ部分の高さは、前記操作部の高さ以下である、
コネクタ組立体。
【請求項７】
請求項６に記載のコネクタ組立体であって、
前記操作部は、板金折り曲げによって断面U字状に形成されている、
コネクタ組立体。
【請求項８】
請求項４に記載のコネクタ組立体であって、
前記第１コネクタ及び前記第３コネクタは、金属によって形成されており、
前記第１コネクタは、前記第３コネクタの前記第１コネクタ部分が挿入される筒状の収容部を有し、
前記第３コネクタの前記第１コネクタ部分に爪部を設け、
前記第１コネクタの前記収容部に前記爪部が引っ掛かる引っ掛け部を設け、
前記第３コネクタの前記第１コネクタ部分を前記第１コネクタの前記収容部に挿入することで、前記爪部が前記引っ掛け部に引っ掛かって前記第３コネクタの前記第１コネクタ部分と前記第１コネクタが嵌合する、
コネクタ組立体。
【請求項９】
請求項８に記載のコネクタ組立体であって、
前記第３コネクタの前記第１コネクタ部分は、片持ち梁状のロックバネ片を有し、
前記爪部は、前記ロックバネ片に形成されている、
コネクタ組立体。
【請求項１０】
請求項９に記載のコネクタ組立体であって、
前記第３コネクタの前記第１コネクタ部分は、互いに対向する一対の側板を有する、
コネクタ組立体。
【請求項１１】
請求項１０に記載のコネクタ組立体であって、
前記ロックバネ片は、前記一対の側板の間に形成されている、
コネクタ組立体。
【請求項１２】
請求項１１に記載のコネクタ組立体であって、
前記ロックバネ片は、前記一対の側板のうち一方の側板に寄せられて配置されており、
前記ロックバネ片と、前記一対の側板のうち他方の側板と、の間には、キー挿入隙間が形成されている、
コネクタ組立体。
【請求項１３】
請求項１２に記載のコネクタ組立体であって、
前記収容部には、前記キー挿入隙間に挿入される誤挿入阻止突起が形成されている、
コネクタ組立体。
【請求項１４】
請求項１３に記載のコネクタ組立体であって、
前記誤挿入阻止突起は、前記収容部の周壁から切り起こして形成されている、
コネクタ組立体。
【請求項１５】
請求項１４に記載のコネクタ組立体であって、
前記収容部の前記周壁にロック孔が形成されており、
前記引っ掛かけ部は、前記ロック孔の内周面に形成されている、
コネクタ組立体。
【請求項１６】
請求項１５に記載のコネクタ組立体であって、
前記誤挿入阻止突起は、前記ロック孔を形成する際の切り起こしにより形成されている、
コネクタ組立体。
【請求項１７】
請求項８〜１６の何れかに記載のコネクタ組立体であって、
前記第１コネクタの前記収容部の、前記第３コネクタの前記第１コネクタ部分が挿入される開口端と反対側の開口端には、閉塞板が形成されている、
コネクタ組立体。
【請求項１８】
請求項８〜１７の何れかに記載のコネクタ組立体であって、
前記収容部は、片持ち梁状のコンタクトバネ片を有する、
コネクタ組立体。
【請求項１９】
請求項８〜１８の何れかに記載のコネクタ組立体であって、
板金折り曲げによって筒状とした前記収容部の継ぎ目には、前記収容部の筒状とした形状を保持するための形状保持機構が形成されており、
前記形状保持機構は、形状保持突起と、前記形状保持突起が収容される形状保持突起収容部と、によって実現されている、
コネクタ組立体。
【請求項２０】
請求項８〜１９の何れかに記載のコネクタ組立体であって、
前記収容部は、角筒状に形成されている、
コネクタ組立体。
【請求項２１】
請求項８〜２０の何れかに記載のコネクタ組立体であって、
前記第１コネクタは、前記収容部への、前記第３コネクタの前記第１コネクタ部分の挿入を案内する案内片を更に有する、
コネクタ組立体。
【発明の詳細な説明】
【技術分野】
【０００１】
本発明は、コネクタ組立体に関する。
【背景技術】
【０００２】
この種の技術として、特許文献１は、本願の図１６に示すように、LED基板１００と、LED基板１０１と、を電気的及び機械的に接続するLED基板用電気的接続装置１０２を開示している。LED基板用電気的接続装置１０２は、LED基板１００に搭載される第１コネクタ１０３と、LED基板１０１に搭載される第２コネクタ１０４と、を備えて構成されている。第１コネクタ１０３は、LED基板１００の表面と平行な方向に沿って細長く延びる第１端子１０５を有している。第２コネクタ１０４は、第１コネクタ１０３の第１端子１０５が挿入される開口を有した第２ハウジング１０６を備えている。
【先行技術文献】
【特許文献】
【０００３】
【特許文献１】特開2012-243462号公報
【発明の概要】
【発明が解決しようとする課題】
【０００４】
上記特許文献１の構成では、第１コネクタ１０３と第２コネクタ１０４の嵌合方向がLED基板１００の表面に対して平行である。従って、LED基板用電気的接続装置１０２は、低背であると共に強い保持力を可能としている。
【０００５】
しかしながら、第１コネクタ１０３と第２コネクタ１０４とを嵌合させるためには、第１コネクタ１０３の第１端子１０５がLED基板１００から大きくはみ出ていなければならない。第１コネクタ１０３の第１端子１０５がLED基板１００から大きくはみ出ていると、LED基板１００に搭載された第１コネクタ１０３が破損することのないよう、第１コネクタ１０３が搭載されたLED基板１００のコネクタ嵌合前における取り扱いに特段の注意を払わなければならない。
【０００６】
そこで、本願発明の目的は、基板と基板を接続するためのコネクタ組立体において、低背であると共に強い保持力を実現しつつ、コネクタ嵌合前における取り扱いを容易とする技術を提供することにある。
【課題を解決するための手段】
【０００７】
本願発明の観点によれば、第１コネクタ搭載面を有する第１基板と第２コネクタ搭載面を有する第２基板とを、前記第１コネクタ搭載面と前記第２コネクタ搭載面が実質的に平行となるように、接続するためのコネクタ組立体であって、前記第１基板の前記第１コネクタ搭載面に搭載される第１コネクタと、前記第２基板の前記第２コネクタ搭載面に搭載される第２コネクタと、前記第１コネクタ搭載面に対して平行な方向において前記第１コネクタと嵌合する第１コネクタ部分と、前記第２コネクタ搭載面に対して平行な方向において前記第２コネクタと嵌合する第２コネクタ部分と、を有する第３コネクタと、を備えたコネクタ組立体が提供される。
【発明の効果】
【０００８】
本願発明によれば、基板と基板を接続するためのコネクタ組立体において、低背であると共に強い保持力を実現しつつ、コネクタ嵌合前における取り扱いが容易となる。
【図面の簡単な説明】
【０００９】
【図１】図1は、嵌合前のコネクタ組立体の斜視図である。
【図２】図2は、嵌合後のコネクタ組立体の斜視図である。
【図３】図3は、レセプタクルの第１斜視図である。
【図４】図4は、レセプタクルの第２斜視図である。
【図５】図5は、レセプタクルの第３斜視図である。
【図６】図6は、レセプタクルの第４斜視図である。
【図７】図7は、図５のVII-VII線断面図である。
【図８】図8は、レセプタクルの正面図である。
【図９】図9は、中継コネクタの斜視図である。
【図１０】図10は、中継コネクタの第１部分斜視図である。
【図１１】図11は、中継コネクタの第２部分斜視図である。
【図１２】図12は、中継コネクタの部分平面図である。
【図１３】図13は、中継コネクタの側面図である。
【図１４】図14は、コネクタ組立体の嵌合方法の第１説明図である。
【図１５】図15は、コネクタ組立体の嵌合方法の第２説明図である。
【図１６】図16は、特許文献１の図３に相当する図である。
【発明を実施するための形態】
【００１０】
以下、図１〜図１５を参照しつつ、本願発明の実施形態を説明する。
【００１１】
図１及び図２に示すように、コネクタ組立体１は、第１コネクタ搭載面２ａを有する第１基板２と第２コネクタ搭載面３ａを有する第２基板３とを、第１コネクタ搭載面２ａと第２コネクタ搭載面３ａが実質的に平行となるように、接続するためのものである。コネクタ組立体１は、第１基板２の第１コネクタ搭載面２ａに搭載されるレセプタクル４（第１コネクタ）と、第２基板３の第２コネクタ搭載面３ａに搭載されるレセプタクル５（第２コネクタ）と、中継コネクタ６（第３コネクタ）と、を備えて構成されている。中継コネクタ６は、レセプタクル４と嵌合するプラグ７（第１コネクタ部分）と、レセプタクル５と嵌合するプラグ８（第２コネクタ部分）と、プラグ７とプラグ８の間に配置されるツマミ９（操作部）と、を有して構成されている。
【００１２】
図１及び図２に示すように、プラグ７は、第１基板２の第１コネクタ搭載面２ａに対して平行な方向においてレセプタクル４と嵌合する。プラグ７は、第１基板２の第１コネクタ搭載面２ａに対して平行な方向に移動することでレセプタクル４と嵌合する。プラグ７は、第１基板２の第１コネクタ搭載面２ａに対して平行な方向に移動して、レセプタクル４に挿入することで、レセプタクル４と嵌合する。
【００１３】
そして、プラグ７をレセプタクル４に嵌合させ、プラグ８をレセプタクル５に嵌合させることで、第１基板２と第２基板３は、コネクタ組立体１によって電気的及び機械的に接続される。
【００１４】
本実施形態では、第１基板２と第２基板３を接続するために、２つのコネクタ組立体１が用いられている。２つのコネクタ組立体１は、並べて用いられている。２つのコネクタ組立体１は、構造面及び作動面で同一であるので、一方のコネクタ組立体１のみを説明し、他方のコネクタ組立体１の説明は省略する。
【００１５】
ここで、「コネクタ挿抜方向」及び「コネクタ高さ方向」、「コネクタ幅方向」を定義する。「コネクタ挿抜方向」及び「コネクタ高さ方向」、「コネクタ幅方向」は、コネクタ組立体１と関連付けて以下のように定義される。
【００１６】
図１及び図２に示すように、「コネクタ挿抜方向」は、レセプタクル４に対してプラグ７を抜き差しする方向である。「コネクタ挿抜方向」は、「挿し込み方向」と「引き抜き方向」を含む。「挿し込み方向」は、レセプタクル４に対してプラグ７を挿し込む方向である。「引き抜き方向」は、レセプタクル４からプラグ７を引き抜く方向である。なお、レセプタクル５に対するプラグ８の抜き差しは、同様に、コネクタ挿抜方向に沿って行われる。
【００１７】
「コネクタ高さ方向」は、レセプタクル４が搭載される第１基板２の第１コネクタ搭載面２ａに対して直交する方向である。「コネクタ高さ方向」は、「搭載面近接方向」と「搭載面離間方向」を含む。「搭載面近接方向」は、第１基板２の第１コネクタ搭載面２ａに対して近づく方向である。「搭載面離間方向」は、第１基板２の第１コネクタ搭載面２ａから離れる方向である。なお、図２に示すコネクタ組立体１の嵌合状態において、第１基板２の第１コネクタ搭載面２ａと第２基板３の第２コネクタ搭載面３ａは実質的に平行であるから、レセプタクル５が搭載される第２基板３の第２コネクタ搭載面３ａに対して直交する方向はコネクタ高さ方向に一致している。
【００１８】
「コネクタ幅方向」は、「コネクタ挿抜方向」と「コネクタ高さ方向」の双方に対して直交する方向である。
【００１９】
（第１基板２及び第２基板３）
図１及び図２に示すように、第１基板２は、コネクタ挿抜方向に沿って細長く形成されている。第１基板２の第１コネクタ搭載面２ａには、複数のLED１０が搭載されている。複数のLED１０は、コネクタ挿抜方向に沿って所定の間隔で配置されている。同様に、第２基板３は、コネクタ挿抜方向に沿って細長く形成されている。第２基板３の第２コネクタ搭載面３ａには、複数のLED１０が搭載されている。複数のLED１０は、コネクタ挿抜方向に沿って所定の間隔で配置されている。複数のLED１０が搭載された第１基板２と、複数のLED１０が搭載された第２基板３と、第１基板２と第２基板３を接続する２つのコネクタ組立体１と、によって発光モジュール１１が構成されている。発光モジュール１１は、図示しない光透過性円筒体内に収容される。この光透過性円筒体と発光モジュール１１によって、現行の蛍光灯に取って代わる次世代型照明器具が実現される。
【００２０】
（レセプタクル４：図３〜図８）
次に、図３〜図８を参照して、レセプタクル４及びレセプタクル５を説明する。レセプタクル４及びレセプタクル５は、構造面及び作動面で同一であるので、レセプタクル４のみを説明し、レセプタクル５の説明は省略する。
【００２１】
図３〜図８に示すように、レセプタクル４は、収容部１２と、一対の実装部１３と、案内片１４と、によって構成されている。
【００２２】
（レセプタクル４：収容部１２）
図３に示すように、収容部１２は、略角筒状に形成されている。即ち、収容部１２は、底板１５と一対の側板１６、天板１７を有して構成されている。換言すれば、収容部１２の周壁は、底板１５と一対の側板１６、天板１７によって構成されている。底板１５と天板１７は、コネクタ高さ方向において互いに対向している。一対の側板１６は、コネクタ幅方向において互いに対向している。
【００２３】
底板１５と一方の側板１６との間の継ぎ目１８には、２つの形状保持機構Eが形成されている。各形状保持機構Eは、収容部１２の略角筒状とした形状を保持するための機構である。各形状保持機構Eは、底板１５に形成された形状保持突起１９と、側板１６に形成された形状保持突起収容孔２０（形状保持突起収容部）とによって実現されている。この構成で、形状保持突起１９を形状保持突起収容孔２０に収容することで、収容部１２の略角筒状とした形状が保持されるようになっている。
【００２４】
図４及び図６、図７に示すように、底板１５には、片持ち梁状のコンタクトバネ片２１が形成されている。図４及び図６に示すように、コンタクトバネ片２１は、底板１５の中央部分を切り起こして形成されている。図７に示すように、コンタクトバネ片２１は、底板１５によって片持ち梁状に支持される支持バネ片２１ａと、支持バネ片２１ａの自由端に形成される接触部２１ｂとによって構成されている。接触部２１ｂは、図７に示すコンタクトバネ片２１の無負荷状態において、収容部１２の内部空間P内に突出している。
【００２５】
図３及び図５、図７に示すように、天板１７には、略矩形状のロック孔２２が形成されている。図７に示すように、ロック孔２２は、コネクタ高さ方向において、コンタクトバネ片２１の接触部２１ｂと略対向するように配置されている。ロック孔２２の内周面２２ａには、挿し込み方向を向く面としての引っ掛け面２３（引っ掛け部）が形成されている。また、図５及び図８に示すように、天板１７には、キー２４（誤挿入阻止突起）が形成されている。キー２４は、天板１７に接続し、図８に示すように、内部空間P内で搭載面近接方向に突出している。図５に示すように、キー２４は、ロック孔２２を形成する際の切り起こしにより形成されている。図８に示すように、キー２４は、収容部１２のコネクタ幅方向における中心線Cからコネクタ幅方向にズレた位置に形成されている。
【００２６】
図３及び図７に示すように、収容部１２の開口端であってプラグ７が挿入される開口端にはガイド用面取り２５が形成されている。収容部１２の開口端であってプラグ７が挿入される開口端と反対側の開口端には、図５〜図７に示すように、閉塞板２６が形成されている。換言すれば、収容部１２の開口端であってプラグ７が挿入される開口端と反対側の開口端は、閉塞板２６によって閉塞されている。図５〜図７に示すように、閉塞板２６は、コネクタ挿抜方向に対して直交すると共に、天板１７に対して接続している。
【００２７】
（レセプタクル４：実装部１３）
図３〜図８に示すように、一対の実装部１３は、底板１５に対して接続すると共に、底板１５をコネクタ挿抜方向において挟むように配置されている。
【００２８】
（レセプタクル４：案内片１４）
図３に示すように、案内片１４は、継ぎ目１８に対して隣接する側板１６に対して引き抜き方向に隣接して形成されている。案内片１４は、コネクタ幅方向に対して直交している。案内片１４は、収容部１２へのプラグ７の挿入を案内する。
【００２９】
（中継コネクタ６：図９）
図９に示す中継コネクタ６は、前述したように、プラグ７とプラグ８、ツマミ９によって構成されている。プラグ７とプラグ８は、構造面及び作動面で同一であって、ツマミ９を挟むように配置されている。従って、プラグ７のみを説明し、プラグ８の説明は省略する。
【００３０】
（プラグ７）
図１０及び図１１に示すように、プラグ７は、底板３０と、一対の側板３１と、ロックバネ片３２と、によって構成されている。底板３０は、コネクタ挿抜方向に延びて形成されている。一対の側板３１は、底板３０をコネクタ幅方向において挟むように、底板３０に対して接続する。一対の側板３１は、底板３０から搭載面離間方向に向かって突出するように形成されている。一対の側板３１は、互いに対向している。従って、底板３０と一対の側板３１は、コネクタ挿抜方向で見たときに略U字を呈することになる。ロックバネ片３２は、底板３０によって支持された片持ち梁状のバネ片である。ロックバネ片３２は、底板３０の挿し込み方向における先端に接続し、引き抜き方向に向かって延びて形成されている。ロックバネ片３２は、一対の側板３１に挟まれるように配置されている。従って、底板３０とロックバネ片３２は、図１２に示すように、コネクタ高さ方向に沿って見たときに重複する。また、ロックバネ片３２は、一対の側板３１のうち一方の側板３１側に寄っており、他方の側板３１とロックバネ片３２との間にはキー挿入隙間ｇが形成されている。また、図１０に示すように、ロックバネ片３２の引き抜き方向の先端には、搭載面離間方向に若干隆起した爪部３３が形成されている。図１２に示すように、爪部３３の引き抜き方向における先端面３３ａは、ロックバネ片３２の無負荷状態において、コネクタ挿抜方向に対して直交している。図１０に示すように、ロックバネ片３２に爪部３３が搭載面離間方向に若干隆起して形成されることで、爪部３３から見て挿し込み方向側には、挿し込み方向に向かうに連れて搭載面近接方向に向かう傾斜ガイド面３４が形成される。
【００３１】
（ツマミ９）
図１０〜図１３に示すように、ツマミ９は、連結部４０と、対向部４１と、側板部４２と、によって構成されている。連結部４０は、プラグ７とプラグ８を連結する部分である。連結部４０は、プラグ７の底板３０に対して隣接している。連結部４０は、コネクタ高さ方向に対して直交するように配置される。対向部４１は、連結部４０に対して若干の距離を隔てて対向する部分である。対向部４１は、コネクタ高さ方向に対して直交するように配置される。対向部４１は、連結部４０から見て搭載面離間方向側に配置されている。側板部４２は、連結部４０と対向部４１を連結する部分である。側板部４２は、コネクタ幅方向に対して直交するように配置される。図１３に示すように、プラグ７及びプラグ８のコネクタ高さ方向における最大寸法７ｈ及び最大寸法８ｈは、ツマミ９のコネクタ高さ方向における最大寸法９ｈ以下に設定される。端的に言えば、プラグ７及びプラグ８の高さは、ツマミ９の高さ以下に設定される。
【００３２】
なお、本実施形態では、ツマミ９の断面形状は、コネクタ幅方向に開口する略U字状とした。これに代えて、ツマミ９の断面形状は、搭載面離間方向に開口する略U字状であってもよいし、箱型であってもよい。
【００３３】
（作動）
次に、図１及び図３、図１４、図１５等を参照しつつ、コネクタ組立体１の使用方法を説明する。
【００３４】
先ず、図３に示すレセプタクル４の一対の実装部１３を図１に示すように第１基板２の第１コネクタ搭載面２ａにハンダ付けする。レセプタクル５も同様に第２基板３の第２コネクタ搭載面３ａにハンダ付けする。
【００３５】
次に、図１４に示すように、中継コネクタ６のプラグ７をレセプタクル４の収容部１２に挿入する。このとき、プラグ７は、図７に示すレセプタクル４の収容部１２のコンタクトバネ片２１を搭載面近接方向に押し下げる。また、このとき、図１０に示すプラグ７のロックバネ片３２は、プラグ７のロックバネ片３２の傾斜ガイド面３４と、図３に示す収容部１２のガイド用面取り２５と、の相互作用により搭載面近接方向に押し下げられる。そしてやがて図１０に示すプラグ７のロックバネ片３２の爪部３３が、図３に示すレセプタクル４の収容部１２の天板１７のロック孔２２に到達すると、ロックバネ片３２の自己弾性復元力により、ロックバネ片３２の爪部３３はロック孔２２内に移動する。この移動により、図１２に示すプラグ７のロックバネ片３２の爪部３３の先端面３３ａは、図７に示すレセプタクル４の収容部１２のロック孔２２の引っ掛け面２３に対してコネクタ挿抜方向において対向する。このコネクタ挿抜方向における対向関係により、プラグ７はレセプタクル４に対して嵌合する。同様に、プラグ８をレセプタクル５に嵌合する。この２箇所における嵌合をもって、コネクタ組立体１は、図２に示すように、第１基板２と第２基板３を電気的及び機械的に接続することになる。
【００３６】
また、プラグ７とレセプタクル４との導通は、プラグ７とレセプタクル４が接触するすべての接点で実現される。しかし、それに加えて、本実施形態では、プラグ７とレセプタクル４が嵌合した状態で、図７に示すコンタクトバネ片２１の自己弾性復元力により、コンタクトバネ片２１の接触部２１ｂが図１１に示すプラグ７の底板３０に対して強力に接触しており、この接触で確実な導通が確保される。
【００３７】
また、プラグ７をレセプタクル４の収容部１２に挿入する際、図８に示すレセプタクル４のキー２４は、図１２において太線矢印Gで示すように、ロックバネ片３２と側板３１との間に形成されたキー挿入隙間ｇに挿入されるようになっている。従って、レセプタクル４のキー２４の存在は、通常、プラグ７をレセプタクル４の収容部１２に挿入するのに邪魔にはならない。しかしながら、例えば図１５に示すように、プラグ７を上下逆にしてレセプタクル４の収容部１２に挿入しようとした場合は、レセプタクル４のキー２４は、プラグ７の底板３０に対して物理的に干渉する。従って、レセプタクル４のキー２４の存在は、プラグ７を誤った姿勢でレセプタクル４の収容部１２に挿入しようとした場合には、プラグ７をレセプタクル４の収容部１２に挿入することを禁止する。
【００３８】
また、図５に示すレセプタクル４の閉塞板２６は、プラグ７を誤った方向からレセプタクル４の収容部１２に挿入することを未然に防止する。
【００３９】
なお、レセプタクル４に嵌合したプラグ７をレセプタクル４から引き抜くには、鋭利な先端を有する治具を用いて爪部３３を搭載面近接方向に向かって押し下げればよい。これによれば、図１２に示すプラグ７の爪部３３の先端面３３ａと、図７に示すレセプタクル４の収容部１２のロック孔２２の引っ掛け面２３とのコネクタ挿抜方向における対向関係が一時的に解除されることになる。この対向関係が解除されている間は、レセプタクル４からプラグ７を引き抜くことが許容される。
【００４０】
以上に本願発明の好適な第１実施形態を説明したが、第１実施形態は、要するに、以下の特長を有している。
【００４１】
（１）コネクタ組立体１は、第１コネクタ搭載面２ａを有する第１基板２と第２コネクタ搭載面３ａを有する第２基板３とを、第１コネクタ搭載面２ａと第２コネクタ搭載面３ａが実質的に平行となるように、接続するためのものである。コネクタ組立体１は、第１基板２の第１コネクタ搭載面２ａに搭載されるレセプタクル４（第１コネクタ）と、第２基板３の第２コネクタ搭載面３ａに搭載されるレセプタクル５（第２コネクタ）と、第１コネクタ搭載面２ａに対して平行な方向においてレセプタクル４と嵌合するプラグ７（第１コネクタ部分）と、第２コネクタ搭載面３ａに対して平行な方向においてレセプタクル５と嵌合するプラグ８（第２コネクタ部分）と、を有する中継コネクタ６（第３コネクタ）と、を備える。以上の構成によれば、第１基板２と第２基板３を接続するためのコネクタ組立体１において、低背であると共に強い保持力を実現しつつ、コネクタ嵌合前における取り扱いが容易となる。即ち、第１基板２と第２基板３を接続するためのコネクタ組立体１において、レセプタクル４とプラグ７の嵌合方向が特許文献１と同様であるので特許文献１と同様に低背であると共に強い保持力を実現しつつ、レセプタクル４が搭載された第１基板２から中継コネクタ６を取り外せるので、特許文献１にはないコネクタ嵌合前における取り扱いが容易となる効果を発揮する。
【００４２】
（２）プラグ７は、第１コネクタ搭載面２ａに対して平行な方向に移動することでレセプタクル４と嵌合する。
【００４３】
（３）プラグ７は、第１コネクタ搭載面２ａに対して平行な方向に移動して、レセプタクル４に挿入することで、レセプタクル４と嵌合する。
【００４４】
（４）中継コネクタ６は、プラグ７とプラグ８の間に配置されたツマミ９（操作部）を更に有する。以上の構成によれば、作業者が中継コネクタ６を摘み上げる際に、ツマミ９を摘もうとするので、プラグ７やプラグ８が作業者によって変形させられる虞がない。
【００４５】
（５）ツマミ９は、プラグ７とプラグ８を連結する連結部４０と、連結部４０に対して距離を隔てて対向する対向部４１と、を含む。以上の構成によれば、ツマミ９が簡素な構成で実現される。
【００４６】
（６）プラグ７及びプラグ８の高さは、ツマミ９の高さ以下である。以上の構成によれば、作業者が中継コネクタ６を摘み上げる際に、摘む部分としてツマミ９を選択する動機が一層強力となる。
【００４７】
（７）ツマミ９は、板金折り曲げによって断面U字状に形成されている。以上の構成によれば、ツマミ９が簡素な構成で実現される。
【００４８】
（８）レセプタクル４及びレセプタクル５は、金属によって形成されている。レセプタクル４は、中継コネクタ６のプラグ７が挿入される筒状の収容部１２を有する。中継コネクタ６のプラグ７に爪部３３を設ける。レセプタクル４の収容部１２に爪部３３が引っ掛かる引っ掛け面２３（引っ掛け部）を設ける。中継コネクタ６のプラグ７をレセプタクル４の収容部１２に挿入することで、爪部３３が引っ掛け面２３に引っ掛かって中継コネクタ６のプラグ７とレセプタクル４が嵌合する。以上の構成によれば、中継コネクタ６をレセプタクル４から引き抜こうとしても、コネクタ組立体１の嵌合状態を維持することができる。また基板に搭載されるのが、第１基板２、第２基板３ともにレセプタクル４なので、半田付けする際にも重心が基板上にあり、安定している。
【００４９】
（９）中継コネクタ６のプラグ７は、片持ち梁状のロックバネ片３２を有する。爪部３３は、ロックバネ片３２に形成されている。以上の構成によれば、爪部３３の変位可能な可動域を大きく確保することができる。
【００５０】
（１０）中継コネクタ６のプラグ７は、互いに対向する一対の側板３１を有する。
【００５１】
（１１）ロックバネ片３２は、一対の側板３１の間に形成されている。以上の構成によれば、ロックバネ片３２を外力から守ることができる。
【００５２】
（１２）ロックバネ片３２は、一対の側板３１のうち一方の側板３１に寄せられて配置されている。ロックバネ片３２と、一対の側板３１のうち他方の側板３１と、の間には、キー挿入隙間ｇが形成されている。
【００５３】
（１３）そして、収容部１２には、キー挿入隙間ｇに挿入されるキー２４（誤挿入阻止突起）が形成されている。以上の構成によれば、中継コネクタ６のプラグ７を誤った姿勢でレセプタクル４の収容部１２に挿入することが禁止される。
【００５４】
（１４）キー２４は、収容部１２の周壁の一部である天板１７から切り起こして形成されている。以上の構成によれば、キー２４を安価に形成することができる。
【００５５】
（１５）収容部１２の周壁の一部である天板１７にロック孔２２が形成されている。引っ掛け面２３は、ロック孔２２の内周面２２ａに形成されている。以上の構成によれば、簡素な構成で、引っ掛け面２３を実現できる。
【００５６】
（１６）キー２４は、ロック孔２２を形成する際の切り起こしにより形成されている。以上の構成によれば、キー２４を安価に形成することができる。
【００５７】
（１７）レセプタクル４の収容部１２の、中継コネクタ６のプラグ７が挿入される開口端と反対側の開口端には、閉塞板２６が形成されている。以上の構成によれば、中継コネクタ６のプラグ７をレセプタクル４の収容部１２へ誤った方向から挿入することが禁止される。
【００５８】
（１８）収容部１２は、片持ち梁状のコンタクトバネ片２１を有する。
【００５９】
（１９）板金折り曲げによって筒状とした収容部１２の継ぎ目１８には、収容部１２の筒状とした形状を保持するための形状保持機構Eが形成されている。形状保持機構Eは、形状保持突起１９と、形状保持突起１９が収容される形状保持突起収容孔２０（形状保持突起収容部）と、によって実現されている。以上の構成によれば、形状保持機構Eが、簡素な構成で実現される。
【００６０】
（２０）収容部１２は、角筒状に形成されている。
【００６１】
（２１）レセプタクル４は、収容部１２への、中継コネクタ６のプラグ７の挿入を案内する案内片１４を更に有する。以上の構成によれば、中継コネクタ６のプラグ７をレセプタクル４の収容部１２に挿入する作業が簡易となる。
【符号の説明】
【００６２】
１  コネクタ組立体
２  第１基板
２ａ  第１コネクタ搭載面
３  第２基板
３ａ  第２コネクタ搭載面
４  レセプタクル（第１コネクタ）
５  レセプタクル（第２コネクタ）
６  中継コネクタ（第３コネクタ）
７  プラグ（第１コネクタ部分）
７ｈ  最大寸法
８  プラグ（第２コネクタ部分）
８ｈ  最大寸法
９  ツマミ（操作部）
９ｈ  最大寸法
１１  発光モジュール
１２  収容部
１３  実装部
１４  案内片
１５  底板
１６  側板
１７  天板
１８  継ぎ目
１９  形状保持突起
２０  形状保持突起収容孔（形状保持突起収容部）
２１  コンタクトバネ片
２１ａ  支持バネ片
２１ｂ  接触部
２２  ロック孔
２２ａ  内周面
２３  引っ掛け面（引っ掛け部）
２４  キー（誤挿入阻止突起）
２５  ガイド用面取り
２６  閉塞板
３０  底板
３１  側板
３２  ロックバネ片
３３  爪部
３３ａ  先端面
３４  傾斜ガイド面
４０  連結部
４１  対向部
４２  側板部
C  中心線
E  形状保持機構
P  内部空間
ｇ  キー挿入隙間
G  太線矢印
【図１】
2014149948.tif 000003
【図２】
2014149948.tif 000004
【図３】
2014149948.tif 000005
【図４】
2014149948.tif 000006
【図５】
2014149948.tif 000007
【図６】
2014149948.tif 000008
【図７】
2014149948.tif 000009
【図８】
2014149948.tif 000010
【図９】
2014149948.tif 000011
【図１０】
2014149948.tif 000012
【図１１】
2014149948.tif 000013
【図１２】
2014149948.tif 000014
【図１３】
2014149948.tif 000015
【図１４】
2014149948.tif 000016
【図１５】
2014149948.tif 000017
【図１６】
2014149948.tif 000018
【手続補正書】
【提出日】平成25年11月20日(2013.11.20)
【手続補正１】
【補正対象書類名】特許請求の範囲
【補正対象項目名】全文
【補正方法】変更
【補正の内容】
【特許請求の範囲】
【請求項１】
第１コネクタ搭載面を有する第１基板と第２コネクタ搭載面を有する第２基板とを、前記第１コネクタ搭載面と前記第２コネクタ搭載面が実質的に平行となるように、接続するためのコネクタ組立体であって、
前記第１基板の前記第１コネクタ搭載面に搭載される第１コネクタと、
前記第２基板の前記第２コネクタ搭載面に搭載される第２コネクタと、
前記第１コネクタ搭載面に対して平行な方向において前記第１コネクタと嵌合する第１コネクタ部分と、前記第２コネクタ搭載面に対して平行な方向において前記第２コネクタと嵌合する第２コネクタ部分と、を有する第３コネクタと、
を備え、
前記第３コネクタは、前記第１コネクタ部分と前記第２コネクタ部分の間に配置された操作部を更に有し、
前記第１コネクタ部分及び前記第２コネクタ部分は、前記操作部よりも低い部分を有する、
コネクタ組立体。
【請求項２】
請求項１に記載のコネクタ組立体であって、
前記操作部は、前記第１コネクタ部分と前記第２コネクタ部分を連結する連結部と、前記連結部に対して距離を隔てて対向する対向部と、を含む、
コネクタ組立体。
【請求項３】
請求項１又は２に記載のコネクタ組立体であって、
前記操作部は、板金折り曲げによって断面U字状に形成されている、
コネクタ組立体。
【請求項４】
請求項１〜３の何れかに記載のコネクタ組立体であって、
前記第１コネクタ部分は、前記第１コネクタ搭載面に対して平行な方向に移動することで前記第１コネクタと嵌合する、
コネクタ組立体。
【請求項５】
請求項４に記載のコネクタ組立体であって、
前記第１コネクタ部分は、前記第１コネクタ搭載面に対して平行な方向に移動して、前記第１コネクタに挿入することで、前記第１コネクタと嵌合する、
コネクタ組立体。
【請求項６】
請求項１〜５の何れかに記載のコネクタ組立体であって、
前記第１コネクタ及び前記第３コネクタは、金属によって形成されており、
前記第１コネクタは、前記第３コネクタの前記第１コネクタ部分が挿入される筒状の収容部を有し、
前記第３コネクタの前記第１コネクタ部分に爪部を設け、
前記第１コネクタの前記収容部に前記爪部が引っ掛かる引っ掛け部を設け、
前記第３コネクタの前記第１コネクタ部分を前記第１コネクタの前記収容部に挿入することで、前記爪部が前記引っ掛け部に引っ掛かって前記第３コネクタの前記第１コネクタ部分と前記第１コネクタが嵌合する、
コネクタ組立体。
【請求項７】
請求項６に記載のコネクタ組立体であって、
前記第３コネクタの前記第１コネクタ部分は、片持ち梁状のロックバネ片を有し、
前記爪部は、前記ロックバネ片に形成されている、
コネクタ組立体。
【請求項８】
請求項７に記載のコネクタ組立体であって、
前記第３コネクタの前記第１コネクタ部分は、互いに対向する一対の側板を有する、
コネクタ組立体。
【請求項９】
請求項８に記載のコネクタ組立体であって、
前記ロックバネ片は、前記一対の側板の間に形成されている、
コネクタ組立体。
【請求項１０】
請求項９に記載のコネクタ組立体であって、
前記ロックバネ片は、前記一対の側板のうち一方の側板に寄せられて配置されており、
前記ロックバネ片と、前記一対の側板のうち他方の側板と、の間には、キー挿入隙間が形成されている、
コネクタ組立体。
【請求項１１】
請求項１０に記載のコネクタ組立体であって、
前記収容部には、前記キー挿入隙間に挿入される誤挿入阻止突起が形成されている、
コネクタ組立体。
【請求項１２】
請求項１１に記載のコネクタ組立体であって、
前記誤挿入阻止突起は、前記収容部の周壁から切り起こして形成されている、
コネクタ組立体。
【請求項１３】
請求項１２に記載のコネクタ組立体であって、
前記収容部の前記周壁にロック孔が形成されており、
前記引っ掛かけ部は、前記ロック孔の内周面に形成されている、
コネクタ組立体。
【請求項１４】
請求項１３に記載のコネクタ組立体であって、
前記誤挿入阻止突起は、前記ロック孔を形成する際の切り起こしにより形成されている、
コネクタ組立体。
【請求項１５】
請求項６〜１４の何れかに記載のコネクタ組立体であって、
前記第１コネクタの前記収容部の、前記第３コネクタの前記第１コネクタ部分が挿入される開口端と反対側の開口端には、閉塞板が形成されている、
コネクタ組立体。
【請求項１６】
請求項６〜１５の何れかに記載のコネクタ組立体であって、
前記収容部は、片持ち梁状のコンタクトバネ片を有する、
コネクタ組立体。
【請求項１７】
請求項６〜１６の何れかに記載のコネクタ組立体であって、
板金折り曲げによって筒状とした前記収容部の継ぎ目には、前記収容部の筒状とした形状を保持するための形状保持機構が形成されており、
前記形状保持機構は、形状保持突起と、前記形状保持突起が収容される形状保持突起収容部と、によって実現されている、
コネクタ組立体。
【請求項１８】
請求項６〜１７の何れかに記載のコネクタ組立体であって、
前記収容部は、角筒状に形成されている、
コネクタ組立体。
【請求項１９】
請求項６〜１８の何れかに記載のコネクタ組立体であって、
前記第１コネクタは、前記収容部への、前記第３コネクタの前記第１コネクタ部分の挿入を案内する案内片を更に有する、
コネクタ組立体。
【手続補正書】
【提出日】平成26年6月6日(2014.6.6)
【手続補正１】
【補正対象書類名】特許請求の範囲
【補正対象項目名】全文
【補正方法】変更
【補正の内容】
【特許請求の範囲】
【請求項１】
第１コネクタ搭載面を有する第１基板と第２コネクタ搭載面を有する第２基板とを、前記第１コネクタ搭載面と前記第２コネクタ搭載面が実質的に平行となるように、接続するためのコネクタ組立体であって、
前記第１基板の前記第１コネクタ搭載面に搭載される第１コネクタと、
前記第２基板の前記第２コネクタ搭載面に搭載される第２コネクタと、
前記第１コネクタ搭載面に対して平行な方向において前記第１コネクタと嵌合する第１コネクタ部分と、前記第２コネクタ搭載面に対して平行な方向において前記第２コネクタと嵌合する第２コネクタ部分と、を有する第３コネクタと、
を備え、
前記第１コネクタは、前記第１コネクタ部分が挿入される収容部と、前記第１基板の前記第１コネクタ搭載面にハンダ付けされる一対の実装部と、を有し、
前記一対の実装部は、前記第１コネクタ部分を前記第１コネクタに嵌合する方向において、前記収容部を挟むように配置されている、
コネクタ組立体。
【請求項２】
請求項１に記載のコネクタ組立体であって、
前記第１コネクタの前記収容部は、筒状に形成されている、
コネクタ組立体。
【請求項３】
請求項１又は２に記載のコネクタ組立体であって、
前記第３コネクタの前記第１コネクタ部分に爪部を設け、
前記第１コネクタの前記収容部に前記爪部が引っ掛かる引っ掛け部を設け、
前記第３コネクタの前記第１コネクタ部分を前記第１コネクタの前記収容部に挿入することで、前記爪部が前記引っ掛け部に引っ掛かって前記第３コネクタの前記第１コネクタ部分と前記第１コネクタが嵌合する、
コネクタ組立体。
【請求項４】
請求項３に記載のコネクタ組立体であって、
前記第３コネクタは、前記第１コネクタ部分と前記第２コネクタ部分の間に配置された操作部を更に有する、
コネクタ組立体。
【請求項５】
請求項４に記載のコネクタ組立体であって、
前記第１コネクタ部分及び前記第２コネクタ部分は、前記操作部よりも低い部分を有する、
コネクタ組立体。
【請求項６】
請求項４又は５に記載のコネクタ組立体であって、
前記操作部は、前記第１コネクタ部分と前記第２コネクタ部分を連結する連結部と、前記連結部に対して距離を隔てて対向する対向部と、を含む、
コネクタ組立体。
【請求項７】
請求項４〜６の何れかに記載のコネクタ組立体であって、
前記操作部は、板金折り曲げによって断面U字状に形成されている、
コネクタ組立体。
【請求項８】
請求項３〜７の何れかに記載のコネクタ組立体であって、
前記第３コネクタの前記第１コネクタ部分は、片持ち梁状のロックバネ片を有し、
前記爪部は、前記ロックバネ片に形成されている、
コネクタ組立体。
【請求項９】
請求項８に記載のコネクタ組立体であって、
前記第３コネクタの前記第１コネクタ部分は、互いに対向する一対の側板を有する、
コネクタ組立体。
【請求項１０】
請求項９に記載のコネクタ組立体であって、
前記ロックバネ片は、前記一対の側板の間に形成されている、
コネクタ組立体。
【請求項１１】
請求項１０に記載のコネクタ組立体であって、
前記ロックバネ片は、前記一対の側板のうち一方の側板に寄せられて配置されており、
前記ロックバネ片と、前記一対の側板のうち他方の側板と、の間には、キー挿入隙間が形成されている、
コネクタ組立体。
【請求項１２】
請求項１１に記載のコネクタ組立体であって、
前記収容部には、前記キー挿入隙間に挿入される誤挿入阻止突起が形成されている、
コネクタ組立体。
【請求項１３】
請求項１２に記載のコネクタ組立体であって、
前記誤挿入阻止突起は、前記収容部の周壁から切り起こして形成されている、
コネクタ組立体。
【請求項１４】
請求項１３に記載のコネクタ組立体であって、
前記収容部の前記周壁にロック孔が形成されており、
前記引っ掛かけ部は、前記ロック孔の内周面に形成されている、
コネクタ組立体。
【請求項１５】
請求項１４に記載のコネクタ組立体であって、
前記誤挿入阻止突起は、前記ロック孔を形成する際の切り起こしにより形成されている、
コネクタ組立体。
【請求項１６】
請求項１〜１５の何れかに記載のコネクタ組立体であって、
前記第１コネクタの前記収容部の、前記第３コネクタの前記第１コネクタ部分が挿入される開口端と反対側の開口端には、閉塞板が形成されている、
コネクタ組立体。
【請求項１７】
請求項１〜１６の何れかに記載のコネクタ組立体であって、
前記収容部は、片持ち梁状のコンタクトバネ片を有する、
コネクタ組立体。
【請求項１８】
請求項１〜１７の何れかに記載のコネクタ組立体であって、
板金折り曲げによって筒状とした前記収容部の継ぎ目には、前記収容部の筒状とした形状を保持するための形状保持機構が形成されており、
前記形状保持機構は、形状保持突起と、前記形状保持突起が収容される形状保持突起収容部と、によって実現されている、
コネクタ組立体。
【請求項１９】
請求項１〜１８の何れかに記載のコネクタ組立体であって、
前記収容部は、角筒状に形成されている、
コネクタ組立体。
【請求項２０】
請求項１〜１９の何れかに記載のコネクタ組立体であって、
前記第１コネクタは、前記収容部への、前記第３コネクタの前記第１コネクタ部分の挿入を案内する案内片を更に有する、
コネクタ組立体。
【請求項２１】
請求項１〜２０の何れかに記載のコネクタ組立体であって、
前記第１コネクタ及び前記第３コネクタは、金属によって形成されている、
コネクタ組立体。